(57)【要約】【課題】シャワーを含む複数の水使用手段を効率良く共用することができ、かつ、水を確保することが困難な環境でも排水を利用できる水処理システムを提供することを課題とする。【解決手段】入力された水がユーザにより使用されると、その使用済みの水を排水として出力するシャワーブース５−１乃至５−４を含む水処理システムにおいて、処理済水センサ４Ｃ−１乃至４Ｃ−４は、シャワーブース５−１乃至５−４を制御対象とする情報処理装置の夫々に入力された水と、シャワーブース５−１乃至５−４の夫々から出力された排水とのうち、少なくとも一部に関する所定の物理量又はそれに基づく量を検出し得る。情報生成部１０２は、処理済水センサ４Ｃ−１乃至４Ｃ−４のうち少なくとも一部の結果に基づいて、シャワーブース５−１乃至５−４の夫々のユーザＵの使用に関する情報を生成する。これにより上記課題を解決する。【選択図】図４
2020201976.tif 000002
【特許請求の範囲】
【請求項１】
入力された水がユーザにより使用されると、その使用済みの水を排水として出力する１以上の使用手段を含む水処理システムにおいて、
前記１以上の使用手段を制御対象とする情報処理装置の夫々に入力された前記水と、前記１以上の使用手段の夫々から出力された前記排水とのうち、少なくとも一部に関する所定の物理量又はそれに基づく量を検出し得る１以上の検出手段と、
前記１以上の検出手段のうち少なくとも一部の結果に基づいて、前記１以上の使用手段の夫々の前記ユーザの使用に関する情報を生成する情報生成手段と、
前記１以上の使用手段から出力された前記排水のうち少なくとも一部に対して所定の水処理を行い得る１以上の水処理手段と、
前記１以上の検出手段の夫々の結果に基づいて、前記１以上の使用手段の夫々と、前記１以上の水処理手段とのうち少なくとも一部を制御対象として、当該制御対象に対する所定の制御を実行する制御手段と、
を備え、
前記情報生成手段は、
前記１以上の使用手段の夫々における、前記ユーザによる水の使用開始、使用停止、使用量、及び使用時間のうち少なくとも１つを含む水使用情報を生成し、
前記制御手段は、
生成された前記水使用情報に基づいて、前記所定の制御として、前記１以上の使用手段の夫々に対する前記所定の水処理を行った水の入力の制御を行い、
前記水処理手段は、１以上の浄化手段を含み、
前記水使用情報に基づいて、前記１以上の浄化手段のうち、前記排水の処理に使用する前記浄化手段の構成を決定する決定手段をさらに備える、
水処理システム。
【請求項２】
前記決定手段は、前記水使用情報に基づいて、前記排水のモニタリングを行うことで、前記排水の水質の評価を行い、前記排水の汚れ具合に応じて、前記１以上の浄化手段のうち、前記排水の処理に使用する前記浄化手段の構成を決定し、さらに水路を決定する、
請求項１に記載の水処理システム。
【請求項３】
前記情報生成手段は、
前記１以上の使用手段の夫々を利用するユーザの利用状況と、前記１以上の使用手段を利用しようとするユーザが前記使用手段を利用できるようになるまでの時間とのうち少なくとも一方を含むユーザ利用情報を生成する、
請求項１又は２に記載の水処理システム。
【請求項４】
前記制御手段は、
前記所定の制御として、前記水使用情報に基づいて、さらに、
前記使用手段から散水される水の水質の制御をする、
請求項１乃至３のうちいずれか１項に記載の水処理システム。
【請求項５】
前記使用手段は、
シャワー、トイレ、洗濯機のうち少なくとも１つを含み、
前記制御手段は、
前記水使用情報に基づいて、前記所定の制御として、さらに、
前記使用手段から散水される水の圧力の制御をする、
請求項１乃至４のうちいずれか１項に記載の水処理システム。
【請求項６】
前記制御手段は、
前記所定の制御として、さらに、
前記使用手段から散水される水の温度と量との制御をする、
請求項４又は５に記載の水処理システム。
【発明の詳細な説明】
【技術分野】
【０００１】
本発明は、水処理システムに関する。
【背景技術】
【０００２】
従来より、最小限のスペースでシャワーブースを効率良く共用できるシャワー設備に関する技術が提案されている（例えば特許文献１）。
【先行技術文献】
【特許文献】
【０００３】
【特許文献１】特開２００１−１９１８６６号公報
【発明の概要】
【発明が解決しようとする課題】
【０００４】
しかしながら、上述の特許文献１に記載の技術を含め従来技術は、１台のシャワーブースの利用効率を上げることができるシャワー設備であり、より多人数で共用するには不十分であった。また、シャワー設備に限らず、水を使用して排水する装置（以下、「水使用装置」）を効率良く共有したいとする要求がある。さらに、水を確保することが困難な環境において、水使用装置に使用する水として、排水を再利用したいとする要求がある。
【０００５】
本発明は、このような状況に鑑みてなされたものであり、シャワーを含む複数の水使用手段を効率良く共用することができ、かつ、水を確保することが困難な環境でも排水を利用できる水処理システムを提供することを目的とする。
【課題を解決するための手段】
【０００６】
上記目的を達成するため、本発明の一態様の水処理システムは、
入力された水がユーザにより使用されると、その使用済みの水を排水として出力する１以上の使用手段を制御対象とする情報処理装置を含む水処理システムにおいて、
前記１以上の使用手段の夫々に入力された前記水と、前記１以上の使用手段の夫々から出力された前記排水とのうち、少なくとも一部に関する所定の物理量又はそれに基づく量を検出し得る１以上の検出手段と、
前記１以上の検出手段のうち少なくとも一部の結果に基づいて、前記１以上の使用手段の夫々の前記ユーザの使用に関する情報を生成する情報生成手段と、
を備える。
【発明の効果】
【０００７】
本発明によれば、シャワーを含む複数の水使用手段を効率良く共用することができ、かつ、水を確保することが困難な環境でも排水を利用できる水処理システムを提供することができる。
【図面の簡単な説明】
【０００８】
【図１】本発明の第１実施形態に係る水循環管理システムの構成を示す図である。
【図２】図１の水処理装置から出力される処理済水の量を調整する出力調整機能を示す図である。
【図３】図１の水循環管理システムのうち、サーバのハードウェア構成の一例を示すブロック図である。
【図４】図３のサーバの機能的構成のうち、水循環処理と、フィルタ決定処理とを実現させる機能的構成の一例を示す機能ブロック図である。
【図５】シャワーブースを利用しようとするユーザのユーザ端末に表示される画面の具体例を示す図である。
【図６Ａ】シャワーブースの待ち時間の推定に用いられるグラフである。
【図６Ｂ】シャワーブースの待ち時間の推定に用いられるグラフである。
【図６Ｃ】シャワーブースの待ち時間の推定に用いられるグラフである。
【図７】シャワーブースを利用しようとするユーザのユーザ端末に表示される操作画面の具体例を示す図である。
【図８】シャワーブースを利用しようとするユーザのユーザ端末に表示される操作画面の具体例を示す図である。
【図９Ａ】シャワーブースを利用しようとするユーザのユーザ端末に表示される操作画面の具体例を示す図である。
【図９Ｂ】シャワーブースを利用しようとするユーザのユーザ端末に表示される操作画面の具体例を示す図である。
【図９Ｃ】シャワーブースを利用しようとするユーザのユーザ端末に表示される操作画面の具体例を示す図である。
【図１０Ａ】シャワーブースの利用中、又はシャワーブースの利用後に、ユーザのユーザ端末に表示される操作画面の具体例を示す図である。
【図１０Ｂ】シャワーブースの利用中、又はシャワーブースの利用後に、ユーザのユーザ端末に表示される操作画面の具体例を示す図である。
【図１１Ａ】シャワーブースの利用を終了する操作を行うための操作画面の具体例を示す図である。
【図１１Ｂ】シャワーブースの利用を終了する操作を行うための操作画面の具体例を示す図である。
【図１２】ユーザ端末に表示されるメンテナンス画面の具体例を示す図である。
【図１３】ユーザ端末に表示されるメンテナンス画面から、センサデータの詳細を表示させた場合の具体例を示す図である。
【図１４】ユーザ端末に表示されるメンテナンス画面から、フィルタ情報の詳細を表示させた場合の具体例を示す図である。
【図１５Ａ】排水の処理に用いられる浄化手段としてのフィルタの構成を示す図である。
【図１５Ｂ】排水の処理に用いられる浄化手段としてのフィルタの構成を示す図である。
【図１６】本発明の第２実施形態に係る水循環管理システムの構成の一部を示す図である。
【図１７】本発明の第３実施形態に係る水循環管理システムの構成を示す図である。
【図１８Ａ】ユーザによる利用が可能である状態を示す画面である。
【図１８Ｂ】ユーザが利用中の状態を示す画面である。
【図１８Ｃ】水処理中の状態を示す画面である。
【図１９】本発明の第４実施形態に係る水循環管理システムの構成を示す図である。
【発明を実施するための形態】
【０００９】
以下、本発明の実施形態について、図面を用いて説明する。
［第１実施形態］
（システム構成）
図１は、本発明の第１実施形態に係る水循環管理システムＳ１の構成を示す図である。
【００１０】
本発明の第１実施形態に係る水循環管理システムＳ１は、サーバ１と、ユーザ端末２−１乃至２−ｎ（ｎは１以上の任意の整数値）と、水処理装置３と、処理済水センサ４Ｃ−１乃至４Ｃ−４と、排水センサ４Ｄ−１乃至４Ｄ−４と、シャワーブース５−１乃至５−４とを含むように構成されている。
サーバ１と、ユーザ端末２−１乃至２ｎと、水処理装置３と、処理済水センサ４Ｃ−１乃至４Ｃ−４と、排水センサ４Ｄ−１乃至４Ｄ−４と、シャワーブース５−１乃至５−４とは、インターネット（Ｉｎｔｅｒｎｅｔ）等のネットワークＮを介して相互に接続されている。
【００１１】
図１に示す水循環管理システムＳ１は、水処理装置３に複数のシャワーブース５−１乃至５−４を直列、並列又は直列及び並列の組合せにより水路ＷＬで配管し接続する構成となっている。なお、水路ＷＬのうち、実線は処理済水が流れる水路を示し、破線は排水が流れる水路を示している。サーバ１は、水路ＷＬ、又は後述するバルブ５２に取り付けられた処理済水センサ４Ｃ−１乃至４Ｃ−４、及び排水センサ４Ｄ−１乃至４Ｄ−４の夫々のセンシングにより得られたセンシングデータに基づいて、シャワーブース５−１乃至５−４の夫々の利用状況を検知する。
【００１２】
なお、ユーザ端末２−１乃至２−ｎ、及びユーザＵ１乃至Ｕｎの夫々を個々に区別する必要がない場合、これらをまとめて、「ユーザ端末２」、「ユーザＵ」の夫々と呼ぶ。また、処理済水センサ４Ｃ−１乃至４Ｃ−４の夫々を個々に区別する必要がない場合、これらをまとめて、「処理済水センサ４Ｃ」の夫々と呼ぶ。また、排水センサ４Ｄ−１乃至４Ｄ−４の夫々を個々に区別する必要がない場合、これらをまとめて、「排水センサ４Ｄ」の夫々と呼ぶ。また、シャワーブース５−１乃至５−４の夫々を個々に区別する必要がない場合、これらをまとめて、「シャワーブース５」の夫々と呼ぶ。
以下、水循環管理システムＳ１を構成する各要素について説明する。
【００１３】
（サーバ）
サーバ１は、センシング手段のセンシングにより得られたセンシングデータに基づいて、１以上の使用手段の夫々に対する処理済水の入力を制御する。
具体的には、サーバ１は、処理済水センサ４Ｃ−１乃至４Ｃ−４、及び排水センサ４Ｄ−１乃至４Ｄ−４のセンシングにより得られたセンシングデータに基づいて、シャワーブース５−１乃至５−４の夫々に対する処理済水の入力を制御する。
これにより、シャワーブースを含む複数の水使用装置を効率良く共用できる水循環管理システムを提供することができる。
【００１４】
また、サーバ１は、センシングデータに基づいて、１以上の使用手段における、処理済水の使用開始、使用停止、使用量、使用時間、使用環境等、処理済水に関する各種情報と、排水の排水開始、排水停止、排水量、水質汚染度等、排水に関する各種情報とのうち少なくとも１つを含む情報（以下、「水使用情報」と呼ぶ）を生成する。
具体的には、サーバ１は、センシングデータに基づいて、シャワーブース５−１乃至５−４における水使用情報を生成する。
これにより、シャワーブースを含む複数の水使用装置を効率良く共用できるようにするための水使用情報を得ることができる。
【００１５】
また、サーバ１は、センシングデータに基づいて、１以上の使用手段の夫々を利用するユーザの利用状況と、１以上の使用手段の夫々を利用しようとするユーザが使用手段を利用できるようになるまでの時間とのうち少なくとも一方を含む情報（以下、「ユーザ利用情報」と呼ぶ）を生成する。
具体的には、サーバ１は、センシングデータに基づいて、シャワーブース５−１乃至５−４の夫々を利用するユーザＵの利用状況と、シャワーブース５−１乃至５−４の夫々を利用しようとするユーザＵがシャワーブース５を利用できるようになるまでの時間とのうち少なくとも一方を含むユーザ利用情報を生成する。
サーバ１により生成されたユーザ利用情報は、ユーザ端末２、又はシャワーブース５の外壁に取り付けられた、後述するタッチパネル５４に表示される。
これにより、シャワーブース５を利用しようとするユーザＵは、シャワーブース５が利用可能になるまでの状況を即座に把握することができる。その結果、ユーザＵの利便性を向上させることができる。
なお、サーバ１が備える機能の具体的な内容は、図４を参照して後述する。
【００１６】
（ユーザ端末）
ユーザ端末２は、シャワーブース５を利用しようとするユーザＵが操作する情報処理装置であって、例えばパーソナルコンピュータ、スマートフォン、タブレット等で構成される。
【００１７】
（水処理装置）
水処理装置３は、１以上の浄化手段を用いて、１以上の使用手段から出力された排水の処理を行い、１以上の使用手段で再利用可能な処理済水を生成する。
具体的には、水処理装置３は、フィルタ３１−１乃至フィルタ３１−ｍ（ｍは１以上の任意の整数値）を用いて、シャワーブース５−１乃至５−４から出力された排水の処理を行い、シャワーブース５−１乃至５−４で再利用可能な処理済水を生成する。
フィルタ３１は、ストレーナー、糸巻きタイプのフィルタ、セディメントフィルタ、限外濾過（Ｕｌｔｒａ  Ｆｉｌｔｒａｔｉｏｎ  Ｍｅｍｂｒａｎｅ）タイプのフィルタ（以下、「ＵＦフィルタ」と呼ぶ）、精密濾過フィルタ、逆浸透（Ｒｅｖｅｒｓｅ  Ｏｓｍｏｓｉｓ  Ｍｅｍｂｒａｎｅ）タイプのフィルタ（以下、「ＲＯフィルタ」と呼ぶ）、正浸透フィルタ、イオン交換フィルタ、生物処理、活性炭フィルタ、ナノフィルタ（ＮＦ）、砂ろ過、セラミックフィルタ、遠心分離フィルタなどのうち少なくとも１つ以上で構成される。
【００１８】
排水処理タンク３２は、中間タンクと濃縮タンクとを含むように構成されている。中間タンクは、一部のフィルタ３１を通過した水を一時的に貯めて浄化を行う。浄化により生じた濃縮水は、濃縮タンクに一時的に貯められて、メンテナンスが実施された際に廃棄される。このように、中間タンクを設けて、水の浄化を行うことにより、フィルタ３１の消耗が減るため、フィルタ３１の寿命を引き延ばすことができる。また、中間タンクに水を一時的に貯めておくことにより、水の全有機炭素（ＴＯＣ）と全窒素（ＴＮ）とを推定することもできる。これにより、水の分析にかけるコストを削減することができる。
貯水タンク３３は、生成された処理済水を貯めておくためのタンクである。貯水タンク３３に貯められた処理済水は、シャワーブース５に出力される。
また、生成された処理済水は、ヒーター（図示せず）によって温度調節される。
【００１９】
（処理済水センサ）
処理済水センサ４Ｃは、１以上の使用手段の夫々に入力される処理済水のセンシングを行う。
具体的には、処理済水センサ４Ｃは、シャワーブース５−１乃至５−４の夫々に入力される処理済水のセンシングを行う。
【００２０】
（排水センサ）
排水センサ４Ｄは、１以上の使用手段の夫々から出力された排水のセンシングを行う。
具体的には、排水センサ４Ｄは、シャワーブース５−１乃至５−４の夫々から出力された排水のセンシングを行う。
【００２１】
処理済水センサ４Ｃ及び排水センサ４Ｄは、水圧、流量、ｐＨ、粘度、濁度、色度、臭気、全有機炭素、全無機炭素、全炭素、硝酸態窒素、亜硝酸体窒素、アンモニア態窒素、全窒素、残留塩素、溶存酸素、全リン、電気伝導度、及び温度の検知を可能とする少なくとも１つ以上のセンサで構成されている。
【００２２】
（シャワーブース）
シャワーブース５は、ユーザＵが利用するシャワーを備えるブースであり、ポンプ５１と、バルブ５２と、シャワーヘッド５３と、タッチパネル５４と、排水パン（図示せず）とを備える。シャワーブース５は、使用するユーザＵの種別に応じて、男性用、女性用、子供用、ペット用等に利用条件を設定することができる。
ポンプ５１は、生成された処理済水の少なくとも一部を、バルブ５２を介してシャワーヘッド５３に入力する。また、ポンプ５１は、生成された処理済水の少なくとも一部を、他のシャワーブース５が備えるポンプ５１に送り出す。
具体的には例えば、図１に示すように、ポンプ５１−１は、水処理装置３により生成された処理済水の少なくとも一部を、バルブ５２−１を介してシャワーヘッド５３−１に入力する。また、ポンプ５１−１は、水処理装置３により生成された処理済水の少なくとも一部を、シャワーブース５−２が備えるポンプ５１−２に送り出す。
ポンプ５１−１乃至５１−４は、容積式ポンプ、非容積式ポンプ、水槌ポンプ、気泡ポンプ、噴射ポンプ、水中ポンプ等のポンプで構成されている。
バルブ５２は、シャワーブース５を利用するユーザＵが、シャワーヘッド５３から散水される処理済水の圧力を調節する操作をおこなうためのバルブである。
シャワーヘッド５３は、ポンプ５１により入力された処理済水を散水するためのシャワーヘッドである。
タッチパネル５４は、シャワーブース５の外壁に取り付けられているタッチパネルであり、水使用情報、及びユーザ利用情報を表示する。また、タッチパネル５４は、シャワーブース５を利用しようとするユーザＵの入力操作を受け付ける。
【００２３】
図２は、水処理装置３から出力される処理済水の量を調整する出力調整機能を示す図である。具体的には、図２には、シャワーブース５−１乃至５−４のうち、２台が稼働している場合におけるシャワーブース５と水処理装置３の出力との関係が示されている。
【００２４】
サーバ１は、センシングデータから生成した水使用情報に基づいて、水処理装置３から出力される処理済水の量を調節する。
例えば、シャワーブース５−１乃至５−４のうち一部が休止しているような場合には、サーバ１は、稼働しているシャワーブース５の台数に応じて、水処理装置３から出力される処理済水の量を調節する。これにより、水処理装置３の電力の消費を抑えることができる。また、必要以上に処理済水が出力されることを抑えることができる。
具体的には例えば、図２に示す例では、シャワーブース５−１乃至５−４のうち２台が休止している。このため、サーバ１は、センシングデータから生成した水使用情報に基づいて、水処理装置３から出力される処理済水の量を、シャワーブース５−１乃至５−４のすべてが稼働しているときの出力（１００％）の半分（５０％）に減らす調節を行う。
また、水処理装置３から出力される処理済水の量を半分（５０％）の出力とした後、シャワーブース５−１乃至５−４のすべてが稼働する状態になった場合には、サーバ１は、水処理装置３から出力される処理済水の量を倍増させる。これにより、シャワーの水圧が足りないといった事象が生じることを防ぐことができる。
このように、サーバ１が、センシングデータから生成した水使用情報に基づいて、水処理装置３から出力される処理済水の量を調節するので、シャワーブース５を複数台運用させた場合であっても、シャワーの水圧が一定になり、ユーザＵの快適性を向上させることができる。
【００２５】
（ハードウェア構成）
図３は、図１の水循環管理システムのうち、サーバ１のハードウェア構成の一例を示すブロック図である。
【００２６】
サーバ１は、ＣＰＵ（Ｃｅｎｔｒａｌ  Ｐｒｏｃｅｓｓｉｎｇ  Ｕｎｉｔ）１１と、ＲＯＭ（Ｒｅａｄ  Ｏｎｌｙ  Ｍｅｍｏｒｙ）１２と、ＲＡＭ（Ｒａｎｄｏｍ  Ａｃｃｅｓｓ  Ｍｅｍｏｙ）１３と、バス１４と、入出力インターフェース１５と、出力部１６と、入力部１７と、記憶部１８と、通信部１９と、ドライブ２０と、を備えている。
【００２７】
ＣＰＵ１１は、ＲＯＭ１２に記録されているプログラム、又は記憶部１８からＲＡＭ１３にロードされたプログラムに従って各種の処理を実行する。
ＲＡＭ１３には、ＣＰＵ１１が各種の処理を実行する上において必要なデータ等も適宜記憶される。
【００２８】
ＣＰＵ１１、ＲＯＭ１２及びＲＡＭ１３は、バス１４を介して相互に接続されている。このバス１４にはまた、入出力インターフェース１５も接続されている。入出力インターフェース１５には、出力部１６、入力部１７、記憶部１８、通信部１９及びドライブ２０が接続されている。
【００２９】
出力部１６は、液晶等のディスプレイにより構成され、各種画像を表示する。
入力部１７は、各種ハードウェア釦等で構成され、操作者の指示操作に応じて各種情報を入力する。
【００３０】
記憶部１８は、ＤＲＡＭ（Ｄｙｎａｍｉｃ  Ｒａｎｄｏｍ  Ａｃｃｅｓｓ  Ｍｅｍｏｒｙ）等で構成され、各種データを記憶する。
通信部１９は、インターネットを含むネットワークＮを介して他の装置（例えばユーザ端末２、水処理装置３、処理済水センサ４Ｃ、排水センサ４Ｄ、及びシャワーブース５）との間で行う通信を制御する。
【００３１】
ドライブ２０は、必要に応じて設けられる。ドライブ２０には、磁気ディスク、光ディスク、光磁気ディスク、或いは半導体メモリ等よりなる、リムーバブルメディア３０が適宜装着される。ドライブ２０によってリムーバブルメディア３０から読み出されたプログラムは、必要に応じて記憶部１８にインストールされる。また、リムーバブルメディア３０は、記憶部１８に記憶されている各種データも、記憶部１８と同様に記憶することができる。
【００３２】
このような図３のサーバ１の各種ハードウェアと各種ソフトウェアとの協働により、後述する各種処理の実行が可能になる。
なお、図示はしないが、図１の水循環管理システムのうち、ユーザ端末２、水処理装置３、処理済水センサ４Ｃ、排水センサ４Ｄ、及びシャワーブース５も、図５に示すハードウェア構成を有している。ただし、ユーザ端末２、及びシャワーブース５は、出力部１６及び入力部１７として、タッチパネルを有している。
【００３３】
（機能的構成）
図４は、図３のサーバ１の機能的構成のうち、水循環処理と、フィルタ決定処理とを実現させる機能的構成の一例を示す機能ブロック図である。
【００３４】
「水循環処理」とは、水を使用して排水する１以上の水使用装置と、排水を浄化して、水使用装置が使用可能な水を生成する１以上の水処理装置との間における水の流れを管理するための処理をいう。
「フィルタ決定処理」とは、水処理装置３が備える１以上のフィルタ３１のうち、水処理装置３による排水の処理に使用する１以上のフィルタ３１の構成を決定する処理をいう。
【００３５】
図４に示すように、サーバ１のＣＰＵ１１においては、水循環処理が実行される場合には、取得部１０１と、情報生成部１０２と、入力制御部１０３とが機能する。また、フィルタ決定処理が実行される場合には、さらに決定部１０４が機能する。
なお、記憶部１８の一領域には、センシングＤＢ４０１と、水使用ＤＢ４０２と、ユーザ利用ＤＢ４０３とが設けられている。
【００３６】
取得部１０１は、センシングにより得られたセンシングデータを取得する。
具体的には、取得部１０１は、処理済センサ４Ｃ及び排水センサ４Ｄのセンシングにより得られたセンシングデータを取得する。取得されたセンシングデータは、センシングＤＢ４０１に記憶されて管理される。
【００３７】
情報生成部１０２は、センシングデータに基づいて、１以上の使用手段の夫々における、処理済水の使用開始、使用停止、使用量、及び使用時間のうち少なくとも１つを含む水使用情報を生成する。
具体的には、情報生成部１０２は、センシングデータに基づいて、シャワーブース５−１乃至５−４の夫々における、処理済水の使用開始、使用停止、使用量、及び使用時間のうち少なくとも１つを含む水使用情報を生成する。生成された水使用情報は、水使用ＤＢ４０２に記憶されて管理される。
【００３８】
また、情報生成部１０２は、センシングデータに基づいて、１以上の使用手段の夫々を利用するユーザの利用状況と、１以上の使用手段を利用しようとするユーザが使用手段を利用できるようになるまでの時間とのうち少なくとも一方を含むユーザ利用情報を生成する。
具体的には、情報生成部１０２は、センシングデータに基づいて、シャワーブース５−１乃至５−４の夫々を利用するユーザＵの利用状況と、シャワーブース５を利用しようとするユーザＵがシャワーブース５を利用できるようになるまでの時間とのうち少なくとも一方を含むユーザ利用情報を生成する。生成されたユーザ利用情報は、ユーザ利用ＤＢ４０３に記憶されて管理される。
【００３９】
入力制御部１０３は、センシングにより得られたセンシングデータに基づいて、１以上の使用手段の夫々に対する処理済水の入力を制御する。
具体的には、入力制御部１０３は、センシングにより得られたセンシングデータに基づいて、シャワーブース５−１乃至５−４の夫々に対する処理済水の入力を制御する
【００４０】
また、情報生成部１０２により水使用情報が生成された場合には、入力制御部１０３は、さらに、水使用情報に基づいて、１以上の使用手段の夫々に対する処理済水の入力を制御する。
具体的には、入力制御部１０３は、センシングデータと、センシングデータに基づき生成された水使用情報とに基づいて、シャワーブース５−１乃至５−４の夫々に対する処理済水の入力を制御する。
【００４１】
決定部１０４は、水使用情報に基づいて、１以上の浄化手段のうち、排水の処理に使用する浄化手段の構成を決定する。
具体的には、決定部１０４は、水使用情報に基づいて、フィルタ３１−１乃至３１−ｍのうち、排水の処理に使用する１以上のフィルタ３１の構成を決定する。
【００４２】
センシングＤＢ４０１には、処理済センサ４Ｃ及び排水センサ４Ｄのセンシングにより得られたセンシングデータが記憶され管理されている。
水使用ＤＢ４０２には、センシングデータに基づいて生成された水使用情報が記憶され管理されている。
ユーザ利用ＤＢ４０４には、センシングデータに基づいて生成されたユーザ利用情報が記憶され管理されている。
【００４３】
図５は、シャワーブース５を利用しようとするユーザＵのユーザ端末２に表示される画面の具体例を示す図である。
【００４４】
上述したように、サーバ１は、センシングデータに基づいて、ユーザ利用情報を生成し、これをユーザ端末２に表示させる。
図５に示すように、シャワーブース５−１乃至５−４の夫々には、シャワーブース５−１乃至５−４の夫々を一意に識別するための情報として、１乃至４のシャワーＩＤが夫々付与されている。ユーザ端末２には、ユーザ利用情報として、シャワーＩＤ毎の待ち時間が表示される。
これにより、これからシャワーブース５を利用してシャワーを浴びたいと考えるユーザＵは、シャワーを浴びることができるようになるまでの時間を即座に知ることができるので、ユーザＵの利便性を向上させることができる。
具体的には、シャワーＩＤが「０１」のシャワーブース５−１の待ち時間が「５ｍｉｎ（分）」であることと、シャワーＩＤが「０２」のシャワーブース５−２の待ち時間が「１５ｍｉｎ（分）」であることと、シャワーＩＤが「０３」のシャワーブース５−３の待ち時間が「１ｍｉｎ（分）」であることと、シャワーＩＤが「０４」のシャワーブース５−４の待ち時間が「ＯＫ（即ち、即時利用可）」であることがユーザ端末２に表示されている。これにより、ユーザＵは、シャワーＩＤが「０４」のシャワーブース５−４を直ぐに利用することができることを即座に知ることができる。
【００４５】
次に、シャワーブース５の待ち時間を推定する手法について説明する。
図６は、シャワーブース５の待ち時間の推定に用いられるグラフである。なお、図６のグラフの横軸は時間（分）を示し、縦軸は水量を示している。
【００４６】
図６のグラフに実線で示されている曲線Ｌ１は、蓄積されたセンシングデータに基づいた形状となっているため、ユーザＵ１乃至Ｕｎの夫々がシャワーブース５を利用する時間を推定する際の根拠情報となる。
具体的には、図６Ａは、シャワーＩＤが「０１」のシャワーブース５−１の待ち時間を推定するときに用いられるグラフである。図６Ａに示すように、シャワーＩＤが「０１」のシャワーブース５−１の待ち時間は、「残り５分」と推定されている。
また、図６Ｂは、シャワーＩＤが「０２」のシャワーブース５−２の待ち時間を推定するときに用いられるグラフである。図６Ｂに示すように、シャワーＩＤが「０２」のシャワーブース５−２の待ち時間は、「残り１５分」と推定されている。
また、図６Ｃは、シャワーＩＤが「０３」のシャワーブース５−３の待ち時間を推定するときに用いられるグラフである。図６Ｃに示すように、シャワーＩＤが「０３」のシャワーブース５−３の待ち時間は、「残り１分」と推定されている。
【００４７】
図７は、シャワーブース５を利用しようとするユーザＵのユーザ端末２に表示される操作画面の具体例を示す図である。
【００４８】
上述の図６には、シャワーブース５−１乃至５−４を利用することができるまでの時間が表示されていたが、図７には、シャワーブース５−１乃至５−４の夫々の状況を示す情報が表示されている。
図７に示す例では、シャワーブース５−１乃至５−４の夫々の状況毎にタブで区分けされた情報が表示されている。具体的には、シャワーブース５−１乃至５−４の夫々の状況として、「利用中」、「利用可」、「メンテ中（メンテナンス中）」が例示されている。そして、シャワーＩＤが「０４」のシャワーブース５−４が「利用可」であることが示されている。これにより、ユーザＵは、シャワーＩＤが「０４」のシャワーブース５−４を直ぐに利用することができることを即座に知ることができるので、ユーザＵの利便性を向上させることができる。
【００４９】
図８は、シャワーブース５を利用しようとするユーザＵのユーザ端末２に表示される操作画面の具体例を示す図である。
【００５０】
図８に示す操作画面の表示領域Ｆ１には、シャワーブース５−１乃至５−４の夫々を示すボタンが配置されている。具体的には、「シャワーブース（ＩＤ：０１）」と表示されたボタンと、「シャワーブース（ＩＤ：０２）」と表示されたボタンと、「シャワーブース（ＩＤ：０３）」と表示されたボタンと、「シャワーブース（ＩＤ：０４）」と表示されたボタンが配置されている。例えば、ユーザＵが、シャワーブース５−４の状況を知りたいと考えた場合には、シャワーブース５−４を示す「シャワーブース（ＩＤ：０４）」と表示されたボタンを押下する。
【００５１】
図９は、シャワーブース５を利用しようとするユーザＵのユーザ端末２に表示される操作画面の具体例を示す図である。
【００５２】
ユーザＵは、ユーザ端末２を操作することにより、シャワーブース５−１乃至５−４のいずれか１台を選択して、シャワーブース５を利用可能な状態にするための準備（以下、「利用準備」と呼ぶ）の開始を指示することができる。
【００５３】
ユーザＵからシャワーブース５の利用準備の指示が出されると、シャワーブース５の利用準備が開始される。具体的には、水処理装置３において、所定温度の処理済水が、所定の圧力で出力されるための準備が開始される。
図９Ａは、ユーザ端末２に表示される画面のうち、シャワーブース５の利用準備が開始されたときに表示される画面の具体例を示す図である。具体的は、「利用準備を開始します」というメッセージとともに、表示領域Ｆ１１には、利用準備が完了するまでの残り時間として「３０：００（３０分間）」が表示されている。なお、シャワーブース５の利用準備には、排水を浄化してシャワーに使用される処理済水の準備や、水温を目標温度にするための準備等が含まれる。
【００５４】
シャワーブース５の利用準備が完了すると、その旨がユーザ端末２に表示される。
図９Ｂは、ユーザ端末２に表示される画面のうち、シャワーブース５の利用準備が完了したときに表示される画面の具体例を示す図である。
具体的は、「ユーザ画面へ切り替わります」というメッセージとともに、表示領域Ｆ１１には、利用準備が完了するまでの残り時間として「００：００（０分間）」が表示されている。
【００５５】
図９Ｃは、ユーザ端末２に表示される画面のうち、シャワーブース５を利用できる状態になったときに表示されるユーザ画面の具体例を示す図である。図９Ｃに示すユーザ画面は、表示領域Ｆ２１乃至Ｆ２３を含むように構成されている。具体的には、表示領域Ｆ２１には、シャワー用に準備された処理済水の水質（きれい）が表示されている。また、表示領域Ｆ２２には、シャワーブース５の利用可能時間（１５分）が表示されている。また、表示領域Ｆ２３には、シャワー用に準備された処理済水の量（４０Ｌ（リットル））が表示されている。これにより、ユーザＵは、シャワーブース５の利用を開始する前に、処理済水の水質、シャワーブース５の利用可能時間、及びシャワーブース５の利用に伴い使用できる処理済水の量を確認することができる。
【００５６】
図１０は、シャワーブース５の利用中、又はシャワーブース５の利用後に、ユーザＵのユーザ端末２に表示される操作画面の具体例を示す図である。
【００５７】
図１０Ａは、シャワーブース５の利用中にユーザＵのユーザ端末２に表示される操作画面の具体例を示す図である。
上述の図１０Ａに示す画面は、表示領域Ｆ３１と、表示領域Ｆ３２とを含むように構成されている。表示領域Ｆ３１には、ユーザＵがシャワーブース５の利用を開始してから経過した時間が０５：００（５分）であることが表示されている。表示領域Ｆ３２には、ユーザＵが、シャワーブース５の利用を終了させるときに押下するボタンＢ３１が表示されている。
図１０Ｂは、シャワーブース５の利用後にユーザＵのユーザ端末２に表示される操作画面の具体例を示す図である。
図１０Ａに示すボタンＢ３１が押下されると、図１０Ｂに示すように、シャワーブース５を利用したユーザＵのユーザ端末２に、シャワーブース５の利用結果（以下、「入浴結果」と呼ぶ）を示す画面が表示される。図１０Ｂに示す画面は、表示領域Ｆ４１と、表示領域Ｆ４２とを含むように構成されている。表示領域Ｆ４１には、シャワーブース５の利用時間（入浴時間）が１０：００（１０分）であったことと、シャワーブース５の利用に伴い使用した処理済水の量が２５Ｌ（リットル）であったことが表示されている。表示領域Ｆ４２には、ユーザＵが、表示領域Ｆ４１に表示された入浴結果を確認した場合に押下するボタンＢ４１が表示されている。ボタンＢ４１が押下されると、ユーザ端末２には、シャワーブース５の利用を終了する操作を行うための操作画面（図１１）が表示される。
また、図示はしないが、シャワーブース５にトラブルが生じた場合、ユーザ端末２には、アラートが表示されるとともに、オペレータへの連絡先が表示される。また、必要に応じてメンテナンス画面が表示される。なお、メンテナンス画面の詳細は、図１２を参照して後述する。
【００５８】
図１１は、シャワーブース５の利用を終了する操作を行うための操作画面の具体例を示す図である。
【００５９】
図１１Ａは、シャワーブース５のメンテナンスを行った後に、シャワーブース５の利用を終了する指示を出すための操作画面の一例を示す図である。
具体的には、「メンテナンスを行って終了しますか？」というメッセージが表示されるとともに、表示領域Ｆ５１には、「はい（推奨）」と記載されたボタンＢ５１１と、「いいえ」と記載されたボタンＢ５１２とが表示されている。ユーザＵは、表示領域Ｆ５１に表示された２つのボタンのうちいずれかを押下する。
【００６０】
図１１Ａの表示領域Ｆ５１に表示された２つのボタンのうち、「いいえ」と記載されたボタンＢ５１２が押下されると、そのままシャワーブース５の利用が終了することができる。これに対して、「はい（推奨）」と記載されたボタンＢ５１１が押下されると、シャワーブース５のメンテナンスを行うための操作画面が表示される。
【００６１】
図１１Ｂは、シャワーブース５のメンテナンスを行うための操作画面の一例を示す図である。具体的には、シャワーブース５のメンテナンス作業を、以下の３つのステップで実施することが示されている。即ち、第１ステップとして、濃縮水を排水する作業を実施する旨の案内として「濃縮水の排水を実施してください」というメッセージが表示されている。また、第２ステップとして、フラッシングを実施する旨の案内として「フラッシングを実施してください」というメッセージが表示されている。また、第３ステップとして、シャワーブース５の排水用タンクに貯まった排水を捨てる作業を実施する旨の案内として「排水タンクを取り外して、排水を実施してください」というメッセージが表示されている。各ステップの案内文の下の表示領域Ｆ６１には、各ステップにおけるメンテナンス作業が実施されたときに押下する、「完了」と記載されたボタンが夫々表示されている。
【００６２】
図１２は、ユーザ端末２に表示されるメンテナンス画面の具体例を示す図である。
【００６３】
処理済水センサ４Ｃ及び排水センサ４Ｄのセンシングにより得られたセンシングデータによれば、上述した水使用情報及びユーザ利用情報の他に、ポンプ５１の状態に関する情報（以下、「ポンプ情報」と呼ぶ）、バルブ５２の状態に関する情報（以下、「バルブ情報」と呼ぶ）、及びフィルタ３１の状態に関する情報（以下、「フィルタ情報」と呼ぶ）を生成することができる。メンテナンスが実施される際、ユーザ端末２には、水使用情報、ポンプ情報、バルブ情報、及びフィルタ情報で構成されるメンテナンス画面が表示される。
【００６４】
図１２に示すように、メンテナンス画面は、表示領域Ｆ７１乃至Ｆ７４を含むように構成されている。表示領域Ｆ７１には、「センサ値（時系列データを確認する）」と記載された表題とともに、処理済水センサ４Ｃ及び排水センサ４Ｄのセンシングにより得られたセンシングデータの内容が表示されている。ここで、表示されるセンシングデータの内容は特に限定されないが、図１１に示す例には、対応するポンプ５１を一意に識別するＩＤ番号（ＳＰ  ＩＤ）と、各種水質データ（Ａ乃至Ｄ）とが表示されている。
【００６５】
表示領域Ｆ７２には、ポンプ情報の具体例として、「Ａ」、「Ｂ」、及び「Ｃ」と表示された３つのポンプ５１を示すアイコンが表示されており、このうち、「Ａ」と表示されたアイコンのみ着色されている。これは、「Ａ」と表示されたアイコンが示すポンプ５１が稼働していることを意味している。
【００６６】
表示領域Ｆ７３には、バルブ情報の具体例として、「Ａ」、「Ｂ」、及び「Ｃ」と表示された３つのバルブ５２を示すアイコンが表示されており、このうち、「Ａ」と表示されたアイコンと、「Ｂ」と表示されたアイコンとが着色されている。これは、「Ａ」と表示されたアイコンが示すポンプ５１と、「Ｂ」と表示されたアイコンが示すポンプ５１とが稼働していることを意味している。
【００６７】
表示領域Ｆ７４には、フィルタ情報の具体例として、水処理装置３で使用されている複数のフィルタ３１の状態が示されている。具体的には例えば、フィルタ３１は、セディメントフィルタと、プレ活性炭タイプのフィルタ（以下、「前活性炭フィルタ」と呼ぶ）と、２つのＲＯフィルタ（ＲＯ１フィルタ及びＲＯ２フィルタ）と、ポスト活性炭タイプのフィルタ（以下、「後活性炭フィルタ」と呼ぶ）と、ＵＦ膜フィルタと、を含むように構成することができる。
【００６８】
表示領域Ｆ７４には、フィルタ３１を構成する、セディメントフィルタ、前活性炭フィルタ、ＲＯ１フィルタ、ＲＯ２フィルタ、後活性炭フィルタ、及びＵＦフィルタの状態が、一見して把握できる態様で表示されている。
具体的には、フィルタ３１を交換してから次の交換までの寿命を５段階で示した場合の、次の交換までの寿命の長さがブロックの数で示されている。例えば、フィルタ３１のうちセディメントフィルタの寿命は、残り５分の３程度ということになる。これに対し、「ＲＯ１」という名称で特定されるフィルタ３１は、残り寿命がなく、交換を促すマークが表示されている。
【００６９】
図１３は、ユーザ端末２に表示されるメンテナンス画面から、センサデータの詳細を表示させた場合の具体例を示す図である。
【００７０】
図１３の例では、センサデータの詳細として、水処理装置３からシャワーブース５に入力される処理済水（ＩＮＰＵＴ  ＷＡＴＥＲ）Ｗ１と、ＩＮＰＵＴ  ＷＡＴＥＲのうちシャワーヘッド５３から散水される処理済水（ＳＥＲＶＩＣＥ  ＷＡＴＥＲ）Ｗ２と、シャワーブース５から出力される排水（ＯＵＴＰＵＴ  ＷＡＴＥＲ）Ｗ３との夫々の水質データの推移を示すグラフが示されている。なお、図１２に示すグラフの横軸は時間（分）を示し、縦軸は水質清浄度合を示している。
【００７１】
図１４は、ユーザ端末２に表示されるメンテナンス画面から、フィルタ情報の詳細を表示させた場合の具体例を示す図である。
【００７２】
図１４に示すように、フィルタ情報の詳細として、セディメントフィルタ（Ｓｅｄｉｍｅｎｔ）、前活性炭フィルタ（Ｐｒｅ−Ｃａｒｂｏｎ）、ＲＯ膜フィルタ（ＲＯ）、及びＵＦ膜フィルタ（ＦＵ）の夫々の透過性の推移を示すグラフがユーザ端末２に表示される。なお、図１４に示すグラフの横軸は時間（月）を示し、縦軸はフィルタの能力（ｋ−ｖａｌｕｅ）を示している。
【００７３】
図１５は、排水の処理に用いられる浄化手段としてのフィルタ３１のフィルタの構成を示す図である。
【００７４】
サーバ１は、水使用情報に基づいて、フィルタ３１−１乃至フィルタ３１−ｍのうち、排水の処理に使用する１以上のフィルタ３１の構成を決定する。これにより、排水の量や排水に含有される物質の種類等に応じて、排水を浄化させるための１以上のフィルタ３１の構成を効率良く決定することができる。その結果、排水を効率良く浄化することができるので、フィルタ３１の交換時期を遅らせることや、フィルタ３１の寿命を引き延ばすことが可能となる。
【００７５】
図１５Ａ及びＢの夫々には、排水の処理に使用する１以上のフィルタ３１の構成の具体例が夫々示されている。
具体的には、図１５Ａ及びＢに示すように、フィルタ３１には、２種類のフィルタ（フィルタＡ及びフィルタＢ）が夫々２つずつ用意されている。
上述したように、フィルタ３１は、排水の量や排水に含有される物質の種類等に応じて、排水を浄化させるための１以上のフィルタ３１の構成が決定される。例えば、シャワーブース５を利用するユーザＵが、男性である場合と、女性である場合とを比較した場合、女性は化粧を落とすことがあるため、排水に含有される物質に違いが生じる。
【００７６】
図１５Ａには、男性用のシャワーブース５の例として、シャワーＩＤが「Ｍ０１」のシャワーブース５が示されている。この場合、フィルタ３１は、２種類のフィルタ（フィルタＡ及びフィルタＢ）を夫々１つずつ使用する構成となっている。具体的には、フィルタ３１として用意されたフィルタＡ１、フィルタＡ２、フィルタＢ１、及びフィルタＢ２のうち、フィルタＡ２及びフィルタＢ１を、水路ＷＬが通過する構成となっている。
これに対して、図１５Ｂには、女性用のシャワーブース５の例として、シャワーＩＤが「Ｆ０１」のシャワーブース５が示されている。この場合、フィルタ３１は、すべてのフィルタを使用する構成となっている。具体的には、フィルタ３１として用意されたフィルタＡ１、フィルタＡ２、フィルタＢ１、及びフィルタＢ２のすべてを水路ＷＬが通過する構成となっている。
このように、男性用のシャワーブース５と、女性用のシャワーブース５とで使用するフィルタ３１の構成を変えることにより、排水を効率良く浄化することができる。その結果、フィルタ３１の交換時期を遅らせることや、フィルタ３１の寿命を引き延ばすことが可能となる。
【００７７】
［第２実施形態］
（システム構成）
図１６は、本発明の第２実施形態に係る水循環管理システムＳ２の構成の一部を示す図である。
【００７８】
本発明の第２実施形態に係る水循環管理システムＳ２は、第１実施形態とは異なり、貯水タンク３３は、水処理装置３から独立して備えられている。具体的には、３台の水処理装置３−１乃至３−３から、４台の貯水タンク３３−１乃至３３−４が独立して備えられている。
なお、図示はしないが、水循環管理システムＳ２は、図１に示す水循環管理システムＳ１と同様に、処理済水センサ４Ｃ−１乃至４Ｃ−４、排水センサ４Ｄ−１乃至４Ｄ−４、及びシャワーブース５−１乃至５−４を含むように構成されている。
【００７９】
図１６に示す水循環管理システムＳ２は、複数の水処理装置３−１乃至３−３に複数のシャワーブース５−１乃至５−４を直列、並列又は直列及び並列の組合せにより配管し接続する構成となっている。
サーバ１は、水路ＷＬ、又はバルブ５２に取り付けられた処理済水センサ４Ｃ−１乃至４Ｃ−４、及び排水センサ４Ｄ−１乃至４Ｄ−４の夫々によるセンシングの結果に基づいて、シャワーブース５−１乃至５−４の夫々の利用状況を検知する。
図１６に示すように、水循環管理システムＳ２は、複数の水処理装置３−１乃至３−３と、水処理装置３から独立した複数の貯水タンク３３−１乃至３３−４を備えることにより、多量の処理済水を準備することができるとともに、多量の排水の処理を行うことができる。これにより、シャワーブース５−１乃至５−４のみならず、それよりも多くのシャワーブース５を水循環管理システムＳ２に含めたとしても、安定的な処理済水の供給を実現させることができる。その結果、多数の者によるシャワーブース５の利用が見込まれる場所、例えばキャンプ場、イベント会場、災害が発生したときの避難場所、トレーラーハウス、海水浴場等にシャワーブース５を設置することができる。
【００８０】
［第３実施形態］
（システム構成）
図１７は、本発明の第３実施形態に係る水循環管理システムＳ３の構成を示す図である。
【００８１】
第１実施形態及び第２実施形態では、水処理装置の一例として、複数のシャワーブースを制御する手法について説明した。しかしながら、上述したように、本発明における使用手段としての水処理装置は、シャワーブースに限定されず、水を使用して排水する機能を有するあらゆる装置を包含する概念である。また、シャワーブースを含む複数種類の水処理装置を効率良く共有したいとする要求がある。
本発明の第３実施形態に係る水循環管理システムＳ３は、上述の第１実施形態及び第２実施形態とは異なり、本発明における使用手段として、４台の水処理装置を備える。具体的には、４台の水処理装置の夫々として、食器洗い乾燥機（以下、「食洗機」）５−１と、洗濯機５−２と、トイレ５−３と、シャワーブース５−４との夫々を含むように構成されている。
【００８２】
サーバ１は、水路ＷＬ、又はバルブ５２−１乃至５２−４に取り付けられた処理済水センサ４Ｃ−１乃至４Ｃ−４、及び排水センサ４Ｄ−１乃至４Ｄ−４の夫々によるセンシングの結果に基づいて、食洗機５−１、洗濯機５−２、トイレ５−３、及びシャワーブース５−４の夫々の利用状況を検知する。そして、サーバ１は、食洗機５−１、洗濯機５−２、トイレ５−３、及びシャワーブース５−４の夫々に対する処理済水の入力を制御する。
【００８３】
処理済センサ４Ｃは、例えば以下の場所に取り付けられて、センシングを行う。
即ち、水処理装置３では、排水処理タンク３２及び貯水タンク３３の内部と、処理済水の流入部とに取り付けられた処理済センサ４Ｃ（図示せず）が、処理済水の水量、温度、流量、及び圧力をセンシングする。
食洗機５−１では、蛇口と、処理済水の流入部と、キッチンのシンクに接続された配管とに取り付けられた処理済センサ４Ｃ−１が、処理済水の流量及び圧力をセンシングする。
洗濯機５−２では、処理済水の流入部と、洗濯機５−２に接続された配管とに取り付けられた処理済センサ４Ｃ−２が、処理済水の流量及び圧力をセンシングする。
トイレ５−３では、処理済水の流入部と、トイレタンクと、トイレタンクからトイレ洗浄水が流出する部分とに取り付けられた処理済センサ４Ｃ−３が、処理済水の水量、流量及、圧力、及び温度をセンシングする。
シャワーブース５−４では、バルブ５２−４と、シャワーヘッド５３−４と、シャワーの接続管とに取り付けられた処理済センサ４Ｃ−４が、処理済水の流量、圧力、及び温度をセンシングする。
【００８４】
また、排水センサ４Ｄは、例えば以下の場所に取り付けられて、センシングを行う。
即ち、水処理装置３では、排水処理タンク３２及び貯水タンク３３の内部と、排水の流出部とに取り付けられた排水センサ４Ｄ（図示せず）が、排水の水量、温度、流量、及び圧力をセンシングする。
食洗機５−１では、キッチンのシンクの排水口と、処理済水の流出部と、キッチンのシンクの排水口に接続された配管とに取り付けられた排水センサ４Ｄ−１が、排水の流量、圧力、電気伝導度、温度、粘度、ｐＨ、水質等をセンシングする。
洗濯機５−２では、洗濯機用排水ホースと、排水口と、排水口に接続された配管とに取り付けられた排水センサ４Ｄ−２が、排水の流量、圧力、電気伝導度、及び温度をセンシングする。
トイレ５−３では、排水口と、排水口に接続された配管とに取り付けられた排水センサ４Ｄ−４が、排水の流量、圧力、電気伝導度、温度、ｐＨ、及び水質等をセンシングする。
シャワーブース５−４では、排水口と、排水口に接続された配管とに取り付けられた排水センサ４Ｄ−４が、排水の流量、圧力、温度、ｐＨ、電気伝導度、及び水質をセンシングする。
【００８５】
これにより、シャワーブースを含む複数の水使用装置（食洗機、洗濯機、トイレ、及びシャワーブース）を効率良く共用できる水循環管理システムを提供することができる。具体的には例えば、以下のような共用が可能となる。
即ち、食洗機５−１と、シャワーブース５−４とで水循環管理システムを共用した場合は、シャワーブース５−４で使用されている処理済水の流量、圧力、及び温度をセンシングして、食洗機５−１で使用している処理済水の流量、圧力、及び温度をセンシングする。さらに、水処理装置３の貯水タンク３３に貯まった処理済水の水量、流量、圧力、及び温度のセンシングを行い、ユーザＵの利用に最適となる温度、流量、及び圧力を、ポンプ５１−１及び５１−４と、ヒータ（図示せず）とにフィードバックを行う。また、排水の温度や水質を、排水センサ４Ｄ−１及び４Ｄ−４を用いて計測することにより、次に利用可能になるまでの時間について推定することができる。また、水質（例えば汚染量）に合わせて使用するフィルタ３１を切り替える。この場合、余剰の貯水タンク量を水量センサで測定し、使用する水量の分配を行う。
【００８６】
また例えば、以下のような共用が可能となる。
即ち、食洗機５−１と、洗濯機５−２と、トイレ５−３と、シャワーブース５−４とで水循環管理システムを共用した場合は、食洗機５−１で使用している処理済水の流量、圧力、及び温度をセンシングすることで食洗機５−１の利用状況を感知する。また、洗濯機５−２に使用している処理済水の流量、圧力、温度をセンシングすることで洗濯機５−２の利用状況を感知する。また、トイレ５−３に使用している処理済水の流量、圧力、及び温度のセンシングを行うことでトイレ５−３の利用状況を感知する。また、シャワーブース５−４に使用している処理済水の流量、圧力、及び温度のセンシングを行うことでシャワーブース５−４の利用状況を感知する。これにより、ユーザＵの利用に最適となる温度、流量、及び圧力を、ポンプ５１−１及び５１−４と、ヒータ（図示せず）とにフィードバックを行う。また、排水の温度や水質を、排水センサ４Ｄ−１及び４Ｄ−４を用いて計測することにより、次に利用可能になるまでの時間について推定することができる。また、水質（例えば汚染量）に合わせて使用するフィルタ３１を切り替える。この場合、余剰の貯水タンク量を水量センサで測定し、使用する水量の分配を行う。
【００８７】
図１８は、ユーザ端末２にリアルタイムで表示される、水使用装置としての食洗機５−１、洗濯機５−２、トイレ５−３、及びシャワーブース５−４の状況を示す画面の具体例を示す図である。図１８に示すように、ユーザ端末２には、水使用装置としての食洗機５−１、洗濯機５−２、トイレ５−３、及びシャワーブース５−４の夫々を示すアイコンが表示されている。
【００８８】
図１８Ａに示す画面は、ユーザＵによる利用が可能である状態（以下、「利用可能状態」と呼ぶ）を示す画面である。即ち、図１８Ａに示す状態は、水使用装置としての食洗機５−１、洗濯機５−２、トイレ５−３、及びシャワーブース５−４について、まだユーザＵによる利用が開始されていない状態を示している。
【００８９】
図１８Ｂに示す画面は、ユーザＵが利用中の状態を示す画面である。即ち、図１８Ｂに示すように、２つのアイコンの色彩が、図１８Ａに示すアイコンの色彩と異なっている。これは、洗濯機５−２及びシャワーブース５−４について、ユーザＵによる利用が開始されている状態を示している。
【００９０】
図１８Ｃに示す画面は、水処理中の状態を示す画面である。図１８Ｃに示すように、２つのアイコンには、利用可能状態になるまでの残り時間が表示されている。具体的には、左下に配置されたアイコンは、シャワーブース５−４が利用可能状態になるまであと残り「８分」であることが示されている。また、中央下に配置されたアイコンは、の色彩が、図１８Ａに示す画面と異なっている。これは、洗濯機５−２が利用可能状態になるまであと残り「３分」であることが示されている。
【００９１】
［第４実施形態］
（システム構成）
図１９は、本発明の第４実施形態に係る水循環管理システムＳ４の構成を示す図である。
【００９２】
本発明の第４実施形態に係る水循環管理システムＳ４は、上述の第３実施形態とは異なり、複数の水処理装置３を備える構成となっている。具体的には、図１７に示す水循環管理システムＳ４の構成に、２台の水処理装置３−２及び３−３をさらに備える構成となっており、その結果、水使用装置の数（４台）と水処理装置３の数（４台）との関係が１対１の関係になっている。
これにより、処理済水を水使用装置５−１乃至５−４の夫々について個別に準備することができるとともに、多量の排水の処理を行うことができる。その結果、各水使用装置５への安定的な処理済水の供給を実現させることができる。その結果、多数の者によるシャワーブース５の利用が見込まれる場所、例えば避難場所、イベント会場、海水浴場等にシャワーブース５を設置することができる。
【００９３】
以上本発明の一実施形態について説明したが、本発明は、上述の実施形態に限定されるものではなく、本発明の目的を達成できる範囲での変形、改良等は本発明に含まれるものである。
【００９４】
例えば、上述の実施形態において、シャワーブース５等の水使用装置の台数は、合計４台の構成となっているが、これは例示に過ぎず、５台以上で構成させることもできる。
【００９５】
また例えば、上述の実施形態では、水使用装置として食洗機、洗濯機、トイレ、シャワーブースを含む構成となっているが、これは例示に過ぎない。水を使用して排水する機能を有するあらゆる装置を水使用装置として採用することができる。
【００９６】
また例えば、上述の実施形態において、ユーザＵによる操作は、ユーザ端末２に対するものとなっているが、これに限定されない。シャワーブース５が備えるタッチパネル５４に対する操作であってもよい。即ち、上述の図５、図７、図８乃至図１２に示す画面は、ユーザ端末２にインストールされたアプリケーションプログラムを起動させて表示させることもできるし、シャワーブース５が備えるタッチパネル５４に表示させることもできる。
【００９７】
また例えば、上述の実施形態では、決定部１０４により決定されるフィルタ３１の構成は、男性用のシャワーブース５と女性用のシャワーブース５とで異なる例が挙げられているが、これは例示に過ぎない。例えば、水使用情報に基づいて、排水のモニタリングを行うことで、排水の水質の評価を行い、排水の汚れ具合に応じてフィルタ３１の構成や水路ＷＬを決定することもできる。また、フィルタ３１の寿命を予測することもできる。これにより、フィルタ３１が受ける負荷や環境負荷を最小化させることができる。また、過去に利用実績のないシーンで水処理装置３を利用する場合に、水使用情報に基づいて、水処理装置３が実際におかれる環境に近い状況を想定し、排水処理に好適となるフィルタの構成を決定することもできる。具体的には例えば、水使用情報から得られる気候、地理情報、生活スタイル等に基づいて、排水処理に好適となるフィルタの構成を決定することもできる。これにより、例えば、森でのキャンプ、オフィス、インドのランニングイベント、山でのキャンプ等、あらゆるシーンに応じたフィルタの構成を決定することもできる。このように決定されたフィルタの構成は、その結果とともに水使用ＤＢ４０２に蓄積されるので、決定部１０４は、将来に向けて学習を継続し、さらに好適なフィルタの構成を決定することが可能となる。
【００９８】
また例えば、上述の実施形態において、処理水センサ４Ｃ及び排水センサ４Ｄは、所定のセンサが採用される構成となっているが、これに限定されない。水使用情報に基づいて、各種各様のセンサのうちどのセンサを採用すべきかをサーバ１側で提案できる構成とすることもできる。
【００９９】
また例えば、上述の実施形態においては、シャワー等の使用手段に対して入力される水は、当該使用手段から出力された排水に対して浄化等の水処理を施す水処理手段から出力されたものだった。即ち、上述の実施形態においては、水の循環処理システムが採用されていた。
しかし、水の循環処理システムを採用することは特に必須ではない。例えば、入力された水がユーザにより使用されると、その水を排水として出力する１以上の使用手段と、前記１以上の使用手段から出力された前記排水のうち少なくとも一部に対して所定の水処理を行い得る１以上の水処理手段と、を備える水処理システムを採用した場合、使用手段に入力される水は、水処理手段から出力される水であってもよいし、それ以外から供給される水であってもよい。換言すると、水処理手段から出力される水は、使用手段に使われてもよいし、使用手段以外のものに使われてもよい。
【０１００】
また、上述の実施形態において、シャワーブース５−１乃至５−４と、サーバ１と、ユーザ端末２と、水処理装置３と、処理済水センサ４とは、インターネット（Ｉｎｔｅｒｎｅｔ）等のネットワークＮを介して相互に接続されているものとして説明を行ったが、これについて簡単に補足する。
即ち、具体的に例えば、シャワーブース５−１乃至５−４の夫々は、インターネットや近距離無線通信等を利用して、相互に通信を行ってもよいし、シャワーブース５−１乃至５−４は、ユーザ端末２等を介さずに直接サーバ１やクラウド等と通信を行ってもよい。
【０１０１】
また、上述の実施形態（主として図１８）において、サーバ１には、事前に使用手段に係る各種装置（例えば食洗機５−１等）が接続されていることを前提として説明を行った。
しかしながら、サーバ１は、自身に接続されている使用手段に係る各種装置を事前に認識している必要はない。
即ち、サーバ１は、センサ４Ｃ又はセンサ４Ｄのセンシングの結果から、使用手段に係る各種装置の接続状況を自動で判定してもよい。
これにより、サーバ１は、事前に使用手段に係る各種装置の接続状況を取得しておく必要がなく、そのような情報が取得できないような場合であっても、使用手段に係る各種装置の接続状況を踏まえた処理を実行することができる。
さらに言えば、このような接続状況の結果は、図１８等に示すアイコンの表示方法に反映させることができる。
即ち、例えば、図示はしないがアイコンの下部にＡ、Ｂ、Ｃのアイコンを表示して、Ｃに対応する装置のみが接続されており、Ａ及びＢが接続されていない場合には、Ｃのアイコンのみを明るく表示させ、Ａ及びＢのアイコンを暗く表示させる等してもよい。
【０１０２】
また例えば、上述した一連の処理は、ハードウェアにより実行させることもできるし、ソフトウェアにより実行させることもできる。
換言すると、図４の機能的構成は例示に過ぎず、特に限定されない。
即ち、上述した一連の処理を全体として実行できる機能が情報処理システムに備えられていれば足り、この機能を実現するためにどのような機能ブロックを用いるのかは特に図４の例に限定されない。また、機能ブロックの存在場所も、図４に特に限定されず、任意でよい。
また、１つの機能ブロックは、ハードウェア単体で構成してもよいし、ソフトウェア単体で構成してもよいし、それらの組み合わせで構成してもよい。
【０１０３】
また例えば、一連の処理をソフトウェアにより実行させる場合には、そのソフトウェアを構成するプログラムが、コンピュータ等にネットワークや記録媒体からインストールされる。
コンピュータは、専用のハードウェアに組み込まれているコンピュータであっても良い。
また、コンピュータは、各種のプログラムをインストールすることで、各種の機能を実行することが可能なコンピュータ、例えばサーバの他汎用のスマートフォンやパーソナルコンピュータであってもよい。
【０１０４】
また例えば、このようなプログラムを含む記録媒体は、ユーザにプログラムを提供するために装置本体とは別に配布される図示せぬリムーバブルメディアにより構成されるだけでなく、装置本体に予め組み込まれた状態でユーザに提供される記録媒体等で構成される。
【０１０５】
なお、本明細書において、記録媒体に記録されるプログラムを記述するステップは、その順序に沿って時系列的に行われる処理はもちろん、必ずしも時系列的に処理されなくとも、並列的或いは個別に実行される処理をも含むものである。
また、本明細書において、システムの用語は、複数の装置や複数の手段等より構成される全体的な装置を意味するものとする。
【０１０６】
以上まとめると、本発明が適用される水循環管理システムは、次のような構成を取れば足り、各種各様な実施形態を取ることができる。
即ち、本発明が適用される水処理システム（例えば図１の水循環処理システムＳ１）は、
入力された水がユーザ（例えば図１のユーザＵ）により使用されると、その使用済みの水を排水として出力する１以上の使用手段（例えば図１のシャワーブース５−１乃至５−４）を含む水処理システムにおいて、
前記１以上の使用手段を制御対象とする情報処理装置の夫々に入力された前記水と、前記１以上の使用手段の夫々から出力された前記排水とのうち、少なくとも一部に関する所定の物理量又はそれに基づく量を検出し得る１以上の検出手段（例えば図１の処理済水センサ４Ｃ、及び排水センサ４Ｄ）と、
前記１以上の検出手段のうち少なくとも一部の結果（例えばセンシングデータ）に基づいて、前記１以上の使用手段の夫々の前記ユーザの使用に関する情報を生成する情報生成手段（例えば図４の情報生成部１０２）と、
を備える。
これにより、複数の水使用手段を効率良く共用することができる水処理システムを提供することができる。
【０１０７】
また、前記１以上の使用手段から出力された前記排水のうち少なくとも一部に対して所定の水処理を行い得る１以上の水処理手段（例えば図１の水処理装置３）と、
前記１以上の検出手段の夫々の結果に基づいて、前記１以上の使用手段の夫々と、前記１以上の水処理手段とのうち少なくとも一部を制御対象として、当該制御対象に対する所定の制御を実行する制御手段（例えば図４の入力制御部１０３）と、
を備えることができる。
これにより、水を確保することが困難な環境でも排水を利用できる水処理システムを提供することができる。
【０１０８】
また、前記情報生成手段は、
前記１以上の使用手段の夫々における、前記ユーザによる水の使用開始、使用停止、使用量、及び使用時間のうち少なくとも１つを含む水使用情報を生成することができる。
これにより、生成された水使用情報に基づいて、複数の水使用手段を効率良く共用することができる水処理システムを提供することができる。
【０１０９】
また、前記制御手段は、さらに、
生成された前記水使用情報に基づいて、前記所定の制御として、前記１以上の使用手段の夫々に対する前記処理済水の入力の制御をすることができる。
これにより、生成された水使用情報に基づいて、水を確保することが困難な環境でも排水を利用できる水処理システムを提供することができる。
【０１１０】
また、前記情報生成手段は、
前記１以上の使用手段の夫々を利用するユーザの利用状況と、前記１以上の使用手段を利用しようとするユーザが前記使用手段を利用できるようになるまでの時間とのうち少なくとも一方を含むユーザ利用情報を生成することができる。
これにより、ユーザ利用情報に基づいて、水を確保することが困難な環境でも排水を利用できる水処理システムを提供することができる。
【０１１１】
また、前記水処理手段は、１以上の浄化手段を含み、
前記水使用情報に基づいて、前記１以上の浄化手段のうち、前記排水の処理に使用する前記浄化手段の構成を決定する決定手段をさらに備えることができる。
これにより、フィルタ３１を効率よく使用することができる。
【０１１２】
また、前記使用手段はシャワーを含み、
前記制御手段は、
前記水使用情報に基づいて、前記所定の制御として、前記シャワーから散水される水の圧力の制御をすることができる。
これにより、シャワーを含む複数の水使用手段を効率良く共用することができる水処理システムを提供することができる。
【０１１３】
また、前記制御手段は、前記所定の制御として、さらに、
前記シャワーから散水される水の温度と量との制御をすることができる。
これにより、散水される水の温度と量が制御されたシャワーを効率良く共用することができる水処理システムを提供することができる。
【０１１４】
また、ポンプ（例えば図１のポンプ５１）の駆動または停止、シャワーヘッド（例えば図１のシャワーヘッド５３）の動作、シャワーバルブ（例えば図１のバルブ５２）の開閉、または、シャワーブース（例えば図１のシャワーブース５−１乃至５−４）間の配管（例えば図１の水路ＷＬ）に接続された少なくとも１つのセンサ（例えば図１の処理済水センサ４Ｃ、図１の排水センサ４Ｄ）、より得られた１以上の電気信号の変化を検知して、シャワーブースの利用可能状況と、シャワーブースが利用可能になるまでの時間とをユーザＵに通知することができる。
【０１１５】
また、シャワーヘッドの動作、又は、シャワーブース間の配管に接続された１つのセンサより得られたいずれかの１以上の電気信号変化を検知して、フィードバックを行い、シャワーの水圧を一定にすることができる。
【０１１６】
また、シャワーバルブの開閉、少なくとも１つのセンサ、又は、水処理装置に組み込まれたセンサより得られた１以上の電気信号変化を検知して、シャワー利用可能または可能までの時間を推定することができる。
【０１１７】
また、シャワーの利用条件に合わせて、フィルタおよび水路を切り替え、最適な水浄化方法を提供することができる。
【０１１８】
また、シャワーの利用状況、装置の稼働状況、貯水量の状況に即して、水路を切り替えまたは開閉し、余剰のタンク（例えば図１６の貯水タンク３３−１乃至３３−４）又は水処理装置を稼働させることで、常に一定の水温、水量または水圧でシャワーを提供することができる。
【符号の説明】
【０１１９】
１：サーバ、２，２−１乃至２−ｎ：ユーザ端末、３，３−１乃至３−４：水処理装置、４Ｃ，４Ｃ−１乃至４Ｃ−４：処理済水センサ、４Ｄ，４Ｄ−１乃至４Ｄ−４：排水センサ、５，５−１乃至５−４：水使用装置（シャワーブース、食洗機、洗濯機、トイレ）、１１：ＣＰＵ、１２：ＲＯＭ、１３：ＲＡＭ、１４：バス、１５：入出力インターフェース、１６：出力部、１７：入力部、１８：記憶部、１９：通信部、２０：ドライブ、３０：リムーバブルメディア、３１：フィルタ、３２：排水処理タンク、３３，３３−１乃至３３−４：貯水タンク、５１，５１−１乃至５１−４：ポンプ、５２，５２−１乃至５２−４：バルブ、５３，５３−１乃至５３−４：シャワーヘッド、５４，５４−１乃至５４−４：タッチパネル、１０１：取得部、１０２：情報生成部、１０３：入力制御部、１０４：決定部、４０１：センシングＤＢ、４０２：水使用ＤＢ、４０３：ユーザ利用ＤＢ、Ａ１，Ａ２：フィルタＡ、Ｂ１，Ｂ２：フィルタＢ、Ｆ１，Ｆ１１，Ｆ２１乃至Ｆ２３，Ｆ３１，Ｆ３２，Ｆ４１，Ｆ４２，Ｆ５１，Ｆ６１，Ｆ７１乃至Ｆ７４：表示領域、Ｂ３１，Ｂ４１，Ｂ５１１，Ｂ５１２：ボタン、Ｓ１，Ｓ２，Ｓ３：水循環管理システム、Ｕ，Ｕ１乃至Ｕｎ：ユーザ、ＷＬ：水路、Ｎ：ネットワーク、Ｗ１乃至Ｗ３：グラフ上の線
【図１】
2020201976.tif 000003
【図２】
2020201976.tif 000004
【図３】
2020201976.tif 000005
【図４】
2020201976.tif 000006
【図５】
2020201976.tif 000007
【図６Ａ】
2020201976.tif 000008
【図６Ｂ】
2020201976.tif 000009
【図６Ｃ】
2020201976.tif 000010
【図７】
2020201976.tif 000011
【図８】
2020201976.tif 000012
【図９Ａ】
2020201976.tif 000013
【図９Ｂ】
2020201976.tif 000014
【図９Ｃ】
2020201976.tif 000015
【図１０Ａ】
2020201976.tif 000016
【図１０Ｂ】
2020201976.tif 000017
【図１１Ａ】
2020201976.tif 000018
【図１１Ｂ】
2020201976.tif 000019
【図１２】
2020201976.tif 000020
【図１３】
2020201976.tif 000021
【図１４】
2020201976.tif 000022
【図１５Ａ】
2020201976.tif 000023
【図１５Ｂ】
2020201976.tif 000024
【図１６】
2020201976.tif 000025
【図１７】
2020201976.tif 000026
【図１８Ａ】
2020201976.tif 000027
【図１８Ｂ】
2020201976.tif 000028
【図１８Ｃ】
2020201976.tif 000029
【図１９】
2020201976.tif 000030